【手続補正書】
【提出日】平成16年4月7日(2004.4.7)
【手続補正１】
【補正対象書類名】明細書
【補正対象項目名】全文
【補正方法】変更
【補正の内容】
【発明の名称】電気掃除機
【特許請求の範囲】
【請求項１】掃除機本体内に設けたファンモータと、前記ファンモータを駆動するファンモータ駆動手段と、前記ファンモータ駆動手段を制御するファンモータ制御手段と、前記ファンモータの駆動による吸気で空気を吸引する床ノズルと、前記床ノズル内に回転自在に設けられ前記ファンモータの駆動による吸気により回転するノズルブラシと、前記ノズルブラシの回転数を検知するブラシ回転数検知手段とを備え、前記ブラシ回転数検知手段の出力に応じて前記ファンモータの出力を変化させることができるようにした電気掃除機。
【請求項２】ブラシ回転数検知手段を、ノズルブラシの回転により発電する発電手段で形成し、前記発電手段の出力を電源とし、前記発電手段の出力を信号に変換する信号変換手段と、前記信号を無線で送信する信号送信手段と、本体側に前記信号送信手段からの信号を受信する信号受信手段を備えていて、前記信号受信手段からの出力に応じてファンモータの出力を変化させることができるようにした請求項１記載の電気掃除機。
【請求項３】ブラシ回転数検知手段の出力を一定時間毎に積算するブラシ回転数積算手段と、前記ブラシ回転数積算手段での積算値からノズルブラシの平均回転数を検知するブラシ平均回転数検知手段とを備えていて、前記ブラシ平均回転数検知手段の出力に応じてファンモータの出力を変化させることができるようにした請求項１又は２記載の電気掃除機。
【発明の詳細な説明】
【０００１】
【発明の属する技術分野】
本発明は、電気掃除機に関するもので、特に吸気により回転させるノズルブラシをもつ電気掃除機に関するものである。
【０００２】
【従来の技術】
従来の電気掃除機を、図６を用いて説明する。
【０００３】
５１は掃除機本体であり、５２はファンモータである。５３はファンモータ５２を駆動するファンモータ駆動手段であり、５４はファンモータ駆動手段５３に信号を送り、ファンモータ５２の出力を制御するファンモータ制御手段である。５５は延長管５６を接続しているホースであり、延長管５６の先には床ノズル５７が接続される。５８は床ノズル５７内に回転自在に設けられていて、本体内のファンモータ５２による吸気により回転するノズルブラシである。ファンモータ制御手段５４はファンモータ駆動手段５３に信号を送り、その信号によりファンモータ駆動手段５３はファンモータ５２を駆動させる。ファンモータ５２が駆動すると空気が吸入され、床ノズル５７から空気とともにゴミを吸引するが、同時にノズルブラシ５８が回転する。絨毯の清掃時には前記ノズルブラシ５８の回転により、絨毯内のゴミを掻き出して集塵能力を向上させていた。
【０００４】
【発明が解決しようとする課題】
しかしながら、上記のような構成の従来の電気掃除機では、ファンモータ５２をある一定の出力で運転している場合に掃除機本体５１内に集塵されたゴミの量によって、空気圧の損失が異なるため、集塵されたゴミが掃除機本体５１内で溜まっている量が少ない時と多い時とでは風量が異なり、その結果床ノズル５７に設けられたノズルブラシ５８の回転力にも影響し、掃除機本体内に溜まっているゴミの量が多量な時には十分な回転数が得られないという問題があった。
【０００５】
本発明は、このような従来の問題を解消しようとするものであって、吸気により回転させるノズルブラシがゴミが掃除機本体内で多量になっている時にも一定の回転力をもち絨毯上の集塵能力を確保できる電気掃除機を提供することを課題としている。
【０００６】
【課題を解決するための手段】
上記課題を解決するために本発明は、床ノズルに回転自在に設けられファンモータによる吸気により回転するノズルブラシの回転数を検知するブラシ回転数検知手段と、ブラシ回転数判断手段とを備え、掃除機本体内にゴミが溜まり風量が減った場合には、その時のノズルブラシの回転数が低下するのを検知して、ブラシ回転数判断手段がファンモータの出力を上げるようファンモータ制御手段に信号を送り、その結果、風量が増加しノズルブラシの回転数を上げて絨毯上での集塵能力を確保できるようにするものである。
【０００７】
【発明の実施の形態】
本発明は、各請求項記載の形態で、実施できるものである。すなわち、本発明の請求項１記載の発明のように、掃除機本体と、掃除機本体内に設けたファンモータと、このファンモータを駆動するファンモータ駆動手段と、ファンモータの駆動状態を制御するファンモータ制御手段と、前記ファンモータの駆動による吸気で空気を吸引する床ノズルと、床ノズルに回転自在に設けられ掃除機本体内のファンモータによる吸気により回転するノズルブラシと、このノズルブラシの回転数を検知するブラシ回転数検知手段と、ブラシ回転数判断手段とを備えるように電気掃除機を構成することにより、ノズルブラシの回転数が低下した場合には、前記ブラシ回転数判断手段がファンモータ制御手段に信号を送りファンモータの出力を上げてノズルブラシの回転数を上げ絨毯上での集塵能力を確保することができる。
【０００８】
また、本発明の請求項２記載の発明のように、請求項１記載のブラシ回転数検知手段を、ノズルブラシの回転により発電する発電手段とし、この発電手段を電源として発電量から得るノズルブラシの回転数を信号に変換する信号変換手段と、この信号を本体に無線で送信する信号送信手段と、この信号送信手段が送信する信号を受信する信号受信手段とを備えるように電気掃除機を構成することにより、ノズルブラシの回転数の検知結果を掃除機本体に送信し、ノズルブラシの回転数に応じてファンモータの出力を変化させることができる。
【０００９】
また、本発明の請求項３記載の発明のように、前記請求項１又は２に記載する電気掃除機に加えて、ノズルブラシの回転数を一定時間積算するブラシ回転数積算手段と、このブラシ回転数積算手段の積算値からブラシの一定時間の平均回転数を検知するブラシ平均回転数検知手段とを備えるように電気掃除機を構成することにより、ノズルブラシの回転数を一定時間の平均値で判断し、前記平均値に応じてファンモータの出力を変化させることができる。
【００１０】
【実施例】
（実施例１）
以下、本発明の実施例１について、図１、図２及び図３を用いて説明する。
【００１１】
図１、図２及び図３において、１は掃除機本体であり、２は掃除機本体１内のファンモータであり、３はファンモータ２を駆動するファンモータ駆動手段である。４はファンモータ駆動手段３にファンモータの制御信号を設定して送るファンモータ制御手段である。５は延長管６を接続しているホース、７はその先に接続される床ノズルである。８は床ノズルに回転自在に設けられファンモータ２による吸気により回転するノズルブラシである。９はノズルブラシ８の回転数を検知するブラシ回転数検知手段であり、１０はその回転数を判断するブラシ回転数判断手段である。
【００１２】
上記構成による作用は以下の通りである。
【００１３】
ファンモータ制御手段４によりファンモータ駆動手段３に信号が送られ、その信号を受けてファンモータ駆動手段３は、ファンモータ２を駆動してファンにより空気を吸引する。空気は床ノズル７から延長管６、ホース５を介して掃除機本体１に吸引されるが、床ノズル７内で吸引された空気は回転自在に取り付けてあるノズルブラシ８を回転させる。この時、このノズルブラシ８の回転数をブラシ回転数検知手段９が検知して、その検知した回転数をブラシ回転数判断手段１０に送信し、ブラシ回転数判断手段１０はブラシの回転数が、ファンモータ制御手段４の設定値より一定以上低い場合には、ノズルブラシ８の回転が十分でないと判断し、ファンモータ制御手段４にファンモータ２の出力を上げるようにファンモータ駆動手段３に信号を出す。その結果、ファンモータ２の出力が上がり、吸引力も増えてノズルブラシ８の回転数が上がる。よって、絨毯上における集塵性能が確保される。
【００１４】
（実施例２）
次に本発明の実施例２について、図４を用いて説明する。なお上記実施例１と同一構成部品については同一符号を付与して、その詳細な説明を省略する。
【００１５】
１１はノズルブラシ８の回転によって発電する発電手段であり、１２は発電手段１１の得る起電力からノズルブラシ８の回転数を判断しそれを信号に変換する信号変換手段である。１３は、信号変換手段１２から変換された信号を受けとってそれを無線で送信する信号送信手段である。この時、信号変換手段１２と信号送信手段１３は、発電手段１１による起電力を電源としている。１４は信号送信手段１３より信号を受け取り、それをブラシ回転数判断手段１０に送る信号受信手段である。
【００１６】
上記構成による作用は以下の通りである。
【００１７】
ファンモータ２の運転による吸気によって床ノズル７内のノズルブラシ８が回転する。この時ノズルブラシ８の回転により発電手段１１に起電力が生じるが回転数により生じる起電力が決まることを利用し、信号変換手段１２がその起電力から回転数を判断して信号に変換する。前記信号を信号送信手段１３が掃除機本体１内の信号受信手段１４に無線で送り、回転数を判断してファンモータ制御を行う。この構成によれば信号変換手段１２と信号送信手段１３の電源は、ノズルで独立してとれるので電力をノズルに送る必要がないので配線した延長管を必要としない。本実施例による電気掃除機は実施例１における電気掃除機と同様にファンモータの出力を変化させて絨毯上での安定した集塵性能を確保することができる。
【００１８】
（実施例３）
次に本発明の実施例３において、図５を用いて説明する。なお上記実施例１と同一構成部品については同一符号を付与して、その詳細な説明を省略する。
【００１９】
１５はブラシ回転数検知手段９の検知回転数を一定時間積算するブラシ回転数積算手段であり、１６はブラシ回転数積算手段１５による積算値結果から一定時間での平均回転数を検知するブラシ平均回転数検知手段である。
【００２０】
上記構成による作用は以下の通りである。
【００２１】
ブラシ回転数検知手段９の検知回転数をブラシ回転数積算手段１５が一定時間積算し、その積算値結果から一定時間におけるノズルブラシ８の平均回転数をブラシ平均回転数検知手段１６が検知する。前記ブラシ平均回転数検知手段１６が検知した平均回転数よりファンモータ制御を行うことで清掃中の密閉条件やノズルブラシ８の負荷条件の細かな変化を平均化し、正確なノズルブラシの回転状況を検知することができるため、その検知結果に応じてファンモータの出力を変化させることができ、従ってより安定した集塵性能を確保する制御を行うことができる。
【００２２】
【発明の効果】
本発明の請求項１記載の発明によれば、吸気によりノズルブラシを回転させる電気掃除機において、パワー制御を行う際に、電気掃除機内のゴミの溜まり量が多い時などで風量が減少する場合においてもノズルブラシの回転数を検知してパワー制御を行い、絨毯上の集塵性能を確保する電気掃除機を提供することができる。
【００２３】
本発明の請求項２記載の発明によれば、請求項１記載の発明の効果に加えてノズルブラシの回転数を検知するために床ノズルへの電力の供給と、回転数検知結果の掃除機本体への伝達に配線の必要がない電気掃除機を提供することができる。
【００２４】
本発明の請求項３記載の発明によれば、請求項１又は２記載の発明の効果に加えてノズルブラシ８の密閉条件や負荷条件の細かな変化を平均化して、正確なノズルブラシの回転状況を検知することができるため、より安定した集塵性能を確保する制御を行う電気掃除機を提供することができる。
【図面の簡単な説明】
【図１】本発明の実施例における電気掃除機の全体斜視図
【図２】本発明の実施例１における電気掃除機のシステムブロック図
【図３】同電気掃除機のノズル部の断面図
【図４】本発明の実施例２における電気掃除機のシステムブロック図
【図５】本発明の実施例３における電気掃除機のシステムブロック図
【図６】従来の電気掃除機のシステムブロック図
【符号の説明】
２、５２  ファンモータ
３、５３  ファンモータ駆動手段
４、５４  ファンモータ制御手段
７、５７  床ノズル
８、５８  ノズルブラシ
９  ブラシ回転数検知手段
１０  ブラシ回転数判断手段
１１  発電手段
１２  信号変換手段
１３  信号送信手段
１４  信号受信手段
１５  ブラシ回転数積算手段
１６  ブラシ回転数検知手段